【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
回動操作されるバルブアーム（１２）と、このバルブアームの先に支持される開閉バルブ（１３）とを備え、
前記開閉バルブによって排気ガスの通過孔（９、３１）を開閉するバルブ装置において、
前記開閉バルブは、閉弁時に前記通過孔の周囲のバルブシート（Ａ）に着座する弁体（１６）と、前記バルブアームに支持されるバルブ側組付部（１８）とを備えるものであり、
前記弁体のうち、閉弁時に前記バルブシートに接する面をシール面（Ｂ）とし、
閉弁時に前記バルブアームと前記開閉バルブが接する接触面のうち、最も前記シール面に近い面を閉弁時接触面（Ｃ）とし、
前記シール面から前記閉弁時接触面までの厚み寸法をｈｘとし、
前記弁体の厚み寸法をｈ１とした場合、
前記弁体には、前記バルブアームの一部を収容するアーム挿入部（α）が設けられていて、
ｈｘ＜ｈ１
の関係を満足するものであり、
当該バルブ装置は、前記開閉バルブが前記バルブシートの排気上流側へ移動することで開弁する内開弁タイプであり、
前記開閉バルブによって開閉される開閉通路（８）を流れる排気ガスの流れ方向を流速方向（Ｚ）とした場合、
前記バルブシートは、前記流速方向に対して斜めに設けられており、
前記流速方向に対する前記バルブシートの傾き角度（θ）は、６０度以下に設けられていることを特徴とするバルブ装置。
【請求項２】
回動操作されるバルブアーム（１２）と、このバルブアームの先に支持される開閉バルブ（１３）とを備え、
前記開閉バルブによって排気ガスの通過孔（９、３１）を開閉するバルブ装置において、
前記開閉バルブは、閉弁時に前記通過孔の周囲のバルブシート（Ａ）に着座する弁体（１６）と、前記バルブアームに支持されるバルブ側組付部（１８）とを備えるものであり、
前記弁体のうち、閉弁時に前記バルブシートに接する面をシール面（Ｂ）とし、
閉弁時に前記バルブアームと前記開閉バルブが接する接触面のうち、最も前記シール面に近い面を閉弁時接触面（Ｃ）とし、
前記シール面から前記閉弁時接触面までの厚み寸法をｈｘとし、
前記弁体の厚み寸法をｈ１とした場合、
前記弁体には、前記バルブアームの一部を収容するアーム挿入部（α）が設けられていて、
ｈｘ＜ｈ１
の関係を満足するものであり、
当該バルブ装置は、前記開閉バルブが前記バルブシートの排気上流側へ移動することで開弁する内開弁タイプであり、
前記開閉バルブによって開閉される開閉通路（８）を流れる排気ガスの流れ方向を流速方向（Ｚ）とした場合、
前記バルブシートは、前記流速方向に対して斜めに設けられており、
前記通過孔には、排気ガスの上流側に向かって拡径するテーパ面（β）が設けられていることを特徴とするバルブ装置。
【請求項３】
回動操作されるバルブアーム（１２）と、このバルブアームの先に支持される開閉バルブ（１３）とを備え、
前記開閉バルブによって排気ガスの通過孔（９、３１）を開閉するバルブ装置において、
前記開閉バルブは、閉弁時に前記通過孔の周囲のバルブシート（Ａ）に着座する弁体（１６）と、前記バルブアームに支持されるバルブ側組付部（１８）とを備えるものであり、
前記弁体のうち、閉弁時に前記バルブシートに接する面をシール面（Ｂ）とし、
閉弁時に前記バルブアームと前記開閉バルブが接する接触面のうち、最も前記シール面に近い面を閉弁時接触面（Ｃ）とし、
前記シール面から前記閉弁時接触面までの厚み寸法をｈｘとし、
前記弁体の厚み寸法をｈ１とした場合、
前記弁体には、前記バルブアームの一部を収容するアーム挿入部（α）が設けられていて、
ｈｘ＜ｈ１
の関係を満足するものであり、
前記弁体には、前記バルブアームが挿入配置されるアーム溝（２０）が設けられており、
前記アーム溝は、前記弁体において外径方向へ伸びて設けられており、
前記アーム溝に前記バルブアームが挿入配置されたことで、前記バルブアームに対して前記弁体の回転が規制されていることを特徴とするバルブ装置。
【請求項４】
回動操作されるバルブアーム（１２）と、このバルブアームの先に支持される開閉バルブ（１３）とを備え、
前記開閉バルブによって排気ガスの通過孔（９、３１）を開閉するバルブ装置において、
前記開閉バルブは、閉弁時に前記通過孔の周囲のバルブシート（Ａ）に着座する弁体（１６）と、前記バルブアームに支持されるバルブ側組付部（１８）とを備えるものであり、
前記弁体のうち、閉弁時に前記バルブシートに接する面をシール面（Ｂ）とし、
閉弁時に前記バルブアームと前記開閉バルブが接する接触面のうち、最も前記シール面に近い面を閉弁時接触面（Ｃ）とし、
前記シール面から前記閉弁時接触面までの厚み寸法をｈｘとし、
前記弁体の厚み寸法をｈ１とした場合、
前記弁体には、前記バルブアームの一部を収容するアーム挿入部（α）が設けられていて、
ｈｘ＜ｈ１
の関係を満足するものであり、
前記バルブ側組付部は、前記弁体とは別体に設けられており、
前記バルブ側組付部が前記弁体に結合して設けられていることを特徴とするバルブ装置。
【請求項５】
回動操作されるバルブアーム（１２）と、このバルブアームの先に支持される開閉バルブ（１３）とを備え、
前記開閉バルブによって排気ガスの通過孔（９、３１）を開閉するバルブ装置において、
前記開閉バルブは、閉弁時に前記通過孔の周囲のバルブシート（Ａ）に着座する弁体（１６）と、前記バルブアームに支持されるバルブ側組付部（１８）とを備えるものであり、
前記弁体のうち、閉弁時に前記バルブシートに接する面をシール面（Ｂ）とし、
閉弁時に前記バルブアームと前記開閉バルブが接する接触面のうち、最も前記シール面に近い面を閉弁時接触面（Ｃ）とし、
前記シール面から前記閉弁時接触面までの厚み寸法をｈｘとし、
前記弁体の厚み寸法をｈ１とした場合、
前記弁体には、前記バルブアームの一部を収容するアーム挿入部（α）が設けられていて、
ｈｘ＜ｈ１
の関係を満足するものであり、
前記バルブ側組付部には、前記バルブアームの先端部の抜止めを行う抜止フランジ（２１）が一体に設けられていることを特徴とするバルブ装置。
【請求項６】
回動操作されるバルブアーム（１２）と、このバルブアームの先に支持される開閉バルブ（１３）とを備え、
前記開閉バルブによって排気ガスの通過孔（９、３１）を開閉するバルブ装置において、
前記開閉バルブは、閉弁時に前記通過孔の周囲のバルブシート（Ａ）に着座する弁体（１６）と、前記バルブアームに支持されるバルブ側組付部（１８）とを備えるものであり、
前記弁体のうち、閉弁時に前記バルブシートに接する面をシール面（Ｂ）とし、
閉弁時に前記バルブアームと前記開閉バルブが接する接触面のうち、最も前記シール面に近い面を閉弁時接触面（Ｃ）とし、
前記シール面から前記閉弁時接触面までの厚み寸法をｈｘとし、
前記弁体の厚み寸法をｈ１とした場合、
前記弁体には、前記バルブアームの一部を収容するアーム挿入部（α）が設けられていて、
ｈｘ＜ｈ１
の関係を満足するものであり、
前記弁体には、前記シール面とは異なる側に、当該弁体の強度を高めるリブ（２２）が設けられており、
前記弁体において前記リブが形成される面は、凸形の略円錐形状を呈するカバー（２３）によって覆われていることを特徴とするバルブ装置。
【請求項７】
請求項１または請求項２に記載のバルブ装置において、
前記開閉通路は、常に排気ガスが通過可能な常開通路（７）と並んで設けられており、
前記開閉バルブが前記通過孔を閉じることにより、排気ガスが前記常開通路のみに流れ、
前記開閉バルブが前記通過孔を開くことにより、排気ガスが前記常開通路と前記開閉通路の両方へ流れることを特徴とするバルブ装置。
【請求項８】
請求項１〜請求項７のいずれか１つに記載のバルブ装置において、
前記弁体は、前記シール面とは異なる側の面が凸形の円錐形状または凸形の球面形状に設けられていることを特徴とするバルブ装置。
【請求項９】
請求項１〜請求項８のいずれか１つに記載のバルブ装置において、
前記バルブアームの先には、前記バルブ側組付部を支持するアーム側組付部（１７）が設けられており、
前記弁体の厚み方向における前記アーム挿入部の寸法Ｘ１は、
前記弁体の厚み方向における前記アーム側組付部の寸法Ｘ２より大きく設けられていることを特徴とするバルブ装置。